(57)【要約】【課題】緩衝効果を具えた引き形式のサッシを提供する。【解決手段】外枠と、該外枠の内側に平行に設けられた二つの矩状の内枠と、少なくとも二つ以上も受けられた弾性の緩衝器とを含んでなり、外枠は、矩状に形成し、上横梁が内側に平行な二本のレールを具えてなり、下横梁が内側に平行な二本の下レールを具えてなり、内枠は、上横梁の外側に上レールに合わせて弾性のロックが設けられ、下横梁の外側には下レールに合わせて滑動輪が設けられ、緩衝器は、外枠の上横梁の両端に設けられ、内枠が押し動かされて緩衝器の位置に移動すると、緩衝器が内枠を外枠の左端、或いは右端へ自動的に速度を緩めて移動させる構造からなる。【選択図】図２
0003141552.tif 000002
【実用新案登録請求の範囲】
【請求項１】
外枠と、該外枠の内側に平行に設けられた二つの矩状の内枠と、少なくとも二つ以上も受けられた弾性の緩衝器とを含んでなり、
該外枠は、矩状に形成し、上横梁が内側に平行な二本のレールを具えてなり、下横梁が内側に平行な二本の下レールを具えてなり、
該内枠は、上横梁の外側に上レールに合わせて弾性のロックが設けられ、下横梁の外側には下レールに合わせて滑動輪が設けられ、
該緩衝器は、外枠の上横梁の両端に設けられ、内枠が押し動かされて緩衝器の位置に移動すると、緩衝器が内枠を外枠の左端、或いは右端へ自動的に速度を緩めて移動させる構造からなることを特徴とする、引き形式のサッシ。
【請求項２】
前記緩衝器が、外カバーと、空気缶と、上蓋とを含んでなり、
該外カバーは、長い桿状を呈し、その一端縁部に形成された収納槽と、他端縁部に形成されたピストン運動空間とを含んでなり、
該空気缶は、収納槽内部に設けられ、中空のスリーブと、蓋体と、バネと、ピストンと、ピストン桿を含んでなり、
該バネは、スリーブの一端縁部に設けられ、その両端がそれぞれスリーブの蓋体と、ピストンとに接続し、
該ピストンはピストン桿の一端に固定して設けられ、
該ピストン桿は、一端がスリーブの外部へ延伸し、その先端に内枠の上横梁の表面に固定して設けられたフックに合わせて形成された係止板を嵌設し、
該上蓋は、外カバーの上端に固定して設けられ、後蓋と、前蓋の二つの部分を具えてなり、該前蓋は中央に係止板に合わせてガイド溝が設けられ、外カバーのピストン運動空間の内側底部には一端に係止板が傾斜して動かすとともに、フックを外す溝が設けられることを特徴とする、請求項１に記載の引き形式のサッシ。
【請求項３】
前記係止板が、表面にフックを設けるためのＵ字状の係止槽を形成し、下端に突起を設けてなり、該ピストン運動空間における内側底面の端縁部には該突起に対応する位置に一端が湾曲した桿体が設けられることを特徴とする、請求項２に記載の引き形式のサッシ。
【請求項４】
前記フックは、一端に斜面が形成されることを特徴とする、請求項２に記載の引き形式のサッシ。
【請求項５】
前記ピストンの一端には密封体が設けられることを特徴とする、請求項３に記載の引き形式のサッシ。
【請求項６】
前記スリーブとピストンの断面が楕円形であることを特徴とする、請求項５に記載の引き形式のサッシ。
【請求項７】
前記緩衝器が二つ設けられるとともに、外枠と上横梁とが交差する両端に設けられることを特徴とする、請求項１から６に記載の引き形式のサッシ。
【請求項８】
前記緩衝器が四つ設けられるとともに、二つを一組としてそれぞれ外枠の上横梁の両端に設けられることを特徴とする、請求項１から６に記載の引き形式のサッシ。
【考案の詳細な説明】
【技術分野】
【０００１】
この考案は、引き形式のサッシに関し、特に左右に移動させて開閉する引き形式のサッシに関する。
【背景技術】
【０００２】
引き形式のサッシは、よく使用されているサッシであって、その外枠は壁に固定して設けられ、二つの内枠が外枠の内側に平行に嵌合して設けられ、外枠の内側のレールを移動する。
【０００３】
引き形式のサッシを使用したことのあるユーザーはだれもが知っているように、内枠を外枠の両側に押し動かしてサッシを閉める場合、度々、押し動かす力加減を把握することが難しい、という状況が発生する。
【０００４】
即ち、押し動かす力が小さすぎると、サッシを完全に閉じることができない。一方、押し動かす力が大きすぎると、内枠と外枠が相互にぶつかり合い、大きな音が発生するだけでなく、サッシが損壊し易くなる。
【考案の開示】
【考案が解決しようとする課題】
【０００５】
この考案は、緩衝効果を具えた引き形式のサッシを提供することを課題とする。
【課題を解決するための手段】
【０００６】
そこで、本考案の考案者は従来の技術に見られる欠点に鑑みて鋭意研究を重ねた結果、外枠と、該外枠の内側に平行に設けられた二つの矩状の内枠と、少なくとも二つ以上も受けられた弾性の緩衝器とを含んでなり、
該外枠は、矩状に形成し、上横梁が内側に平行な二本のレールを具えてなり、下横梁が内側に平行な二本の下レールを具えてなり、
該内枠は、上横梁の外側に上レールに合わせて弾性のロックが設けられ、下横梁の外側には下レールに合わせて滑動輪が設けられ、
該緩衝器は、外枠の上横梁の両端に設けられ、内枠が押し動かされて緩衝器の位置に移動すると、緩衝器が内枠を外枠の左端、或いは右端へ自動的に速度を緩めて移動させる引き形式のサッシの構造からなる。
【０００７】
以下、この考案について具体的に説明する。
請求項１に記載する引き形式のサッシは、外枠と、該外枠の内側に平行に設けられた二つの矩状の内枠と、少なくとも二つ以上も受けられた弾性の緩衝器とを含んでなり、
該外枠は、矩状に形成し、上横梁が内側に平行な二本のレールを具えてなり、下横梁が内側に平行な二本の下レールを具えてなり、
該内枠は、上横梁の外側に上レールに合わせて弾性のロックが設けられ、下横梁の外側には下レールに合わせて滑動輪が設けられ、
該緩衝器は、外枠の上横梁の両端に設けられ、内枠が押し動かされて緩衝器の位置に移動すると、緩衝器が内枠を外枠の左端、或いは右端へ自動的に速度を緩めて移動させる。
【０００８】
請求項２に記載の引き形式のサッシは、請求項１における緩衝器が、外カバーと、空気缶と、上蓋とを含んでなり、
該外カバーは、長い桿状を呈し、その一端縁部に形成された収納槽と、他端縁部に形成されたピストン運動空間とを含んでなり、
該空気缶は、収納槽内部に設けられ、中空のスリーブと、蓋体と、バネと、ピストンと、ピストン桿を含んでなり、
該バネは、スリーブの一端縁部に設けられ、その両端がそれぞれスリーブの蓋体と、ピストンとに接続し、
該ピストンはピストン桿の一端に固定して設けられ、
該ピストン桿は、一端がスリーブの外部へ延伸し、その先端に内枠の上横梁の表面に固定して設けられたフックに合わせて形成された係止板を嵌設し、
該上蓋は、外カバーの上端に固定して設けられ、後方蓋と、前方蓋の二つの部分を具えてなり、該前方蓋は中央に係止板に合わせてガイド溝が設けられ、外カバーのピストン運動空間の内側底部には一端に係止板が傾斜して動かすとともに、フックを外す溝が設けられる。
【０００９】
請求項３に記載の引き形式のサッシは、請求項２における係止板が、表面にフックを設けるためのＵ字状の係止槽を形成し、下端に突起を設けてなり、該ピストン運動空間における内側底面の端縁部には該突起に対応する位置に一端が湾曲した桿体が設けられる。
【００１０】
請求項４に記載の引き形式のサッシは、請求項２におけるフックは、一端に斜面が形成される。
【００１１】
請求項５に記載の引き形式のサッシは、請求項３におけるピストンの一端には密封体が設けられる。
【００１２】
請求項６に記載の引き形式のサッシは、請求項５におけるスリーブとピストンの断面が楕円形である。
【００１３】
請求項７に記載の引き形式のサッシは、請求項１から６における緩衝器が二つ設けられるとともに、外枠と上横梁とが交差する両端に設けられる。
【００１４】
請求項８に記載の引き形式のサッシは、請求項１から６における緩衝器が四つ設けられるとともに、二つを一組としてそれぞれ外枠の上横梁の両端に設けられる。
【考案の効果】
【００１５】
この考案の引き形式のサッシは、内枠が外枠に接近した時に緩衝器が内枠の速度を緩めるため、サッシの開閉の騒音を防ぐとともに、サッシの使用寿命を延長するという効果を有する。
【考案を実施するための最良の形態】
【００１６】
この考案は、緩衝効果を具えた引き形式のサッシであって、外枠と、該外枠の内側に平行に設けられた二つの矩状の内枠と、少なくとも二つ以上も受けられた弾性の緩衝器とを含んでなり、
該外枠は、矩状に形成し、上横梁が内側に平行な二本のレールを具えてなり、下横梁が内側に平行な二本の下レールを具えてなり、
該内枠は、上横梁の外側に上レールに合わせて弾性のロックが設けられ、下横梁の外側には下レールに合わせて滑動輪が設けられ、
該緩衝器は、外枠の上横梁の両端に設けられ、内枠が押し動かされて緩衝器の位置に移動すると、緩衝器が内枠を外枠の左端、或いは右端へ自動的に速度を緩めて移動させる構造からなる。
かかる引き形式のサッシの構造と特徴を詳述するために具体的な実施例を挙げ、図示を参照にして以下に説明する。
【実施例】
【００１７】
図１、図２、図４は、この考案の引き形式のサッシを示したものである。図面によれば、この考案のサッシは、矩状のアルミ合金からなる外枠１０と、長手方向に設けられた上、下横梁１０１、１０２と、長手方向に垂直な左右両側に設けられた左、右縦梁１０３、１０４とを含んでなる。
【００１８】
該上横梁１０１は、内側に二本の上方レール１１が平行に設けられる。該下横梁１０２は、内側に二本の下方レール１２が平行に設けられる。該上方レール１１の長さは、下方レール１２よりも短い。また、該上横梁１０１は、内側の両端縁部に緩衝器の設置槽１３が設けられる。
【００１９】
該外枠１０は、内側に二本の矩状のアルミ合金からなる二本の内枠２０が平行に設けられる。該内枠２０は、一側面にガラス（図示しない）が嵌設され、長手方向に設けられた二本の上、下横梁２０１、２０２と、長手方向に垂直に設けられた左、右縦梁２０３、２０４とを含んでなる。
【００２０】
該内枠２０の上横梁２０１は、長手方向の一側面に上方レール１１に合わせて設けられた弾性ロック２１を具えてなる。
【００２１】
該弾性ロック２１は、凸部２１１を具えてなり、該凸部２１１が上方に突出した状態にある場合、内枠２０を外枠１０に固定することができる。一方、該凸部２１１が内部に収縮している場合、内枠２０を外枠１０から取り外すことができる。
【００２２】
該下横梁２０２の外側には、下方レール１２に合わせて設けられた滑動輪２２が設けられる。該滑動輪２２を通して内枠２０が外枠１０の内側に設けられたレールに沿って滑動することができ、サッシを開ける、或いは閉める目的を達成することができる。
【００２３】
図３は、この考案の二つの空気式の弾性の緩衝器３０を示したものである。該緩衝器３０は、外枠１０の上横梁１０１の両端縁部で、上方レール１１に隣接して設けられる。該内枠２０が緩衝器３０の位置に押し動かされると、緩衝器３０によって内枠２０が外枠１０の左端、或いは右端に自動的にゆっくりと滑動する。
【００２４】
また、該緩衝器３０も四つ設けられ、二つを一組として上横梁１０１の両端にそれぞれ設けられる。よって、二つの内枠２０が外枠１０の左側、或いは右側に向けて運動しているかに関わらず、いずれも緩衝の効果を得ることができる。
【００２５】
図５から７に開示するように、緩衝器３０は、外カバー３１と、空気缶３２と、上蓋３３とを含んでなる。
【００２６】
該外カバー３１は長い棒状を呈し、一端に空気缶を設けるために形成された収納空間３１１と、他端に形成されたピストン運動空間３１２とを具えてなる。
【００２７】
該空気缶３２は、収納空間３１１の内部に設けられ、中空のスリーブ３２１と、蓋体３２２と、バネ３２３と、ピストン３２４と、ピストン桿３２５とを含んでなる。
【００２８】
該バネ３２３は、スリーブ３２１の一端に設けられ、その両端にそれぞれスリーブ３２１の蓋体３２２と、ピストン３２４とに接続する。
【００２９】
該ピストン３２４は、ピストン桿３２５の一端に固定して設けられ、空気缶の密封性を維持する。該ピストン３２４の一端にはさらに密封体３２９が設けられる。
【００３０】
該ピストン桿３２５は、一端がスリーブ３２１から外部に延伸し、その先端には内枠２０の上横梁２０１の表面に設けられたフック２０5（図４参照）に合わせて設けられた係止板３２６が嵌設される。
【００３１】
該上蓋３３は外カバー３１の上端に固定して設けられ、一端に形成された後蓋３３１と、他端に形成された前蓋３３２との二つの部分を具えてなる。
【００３２】
該前蓋３３２は、中央に係止板３２６に合わせてガイド槽３３３が形成される。また、外カバー３１のピストン運動空間３１２の内側底部の一端には係止板３２６を傾けて回転させるとともに、フック２０３を外す溝３１３を具えてなる。
【００３３】
該係止板３２６は、表面にフック２０３を設けるためのＵ字状の係止槽３２７が形成され、該係止槽３２７の一側面が円弧状に形成される。また、フック２０３は、一端に斜面２０6が形成されているため、フック２０３を係止槽３２７の内部に滑動させて設けるために便利である。
【００３４】
該係止板３２６は下端に突起３２８を設けてなる。該ピストン運動空間３１２は内側底部の溝３１３と対向する端縁部の突起３２８に対応する位置に一端が湾曲した桿体３１４が設けられる。
【００３５】
考案人は、スリーブ３２１を楕円形に形成した場合の緩衝効果が最も好ましいことを発見した。楕円形に形成した場合、緩衝する力が増加するだけでなく、空気缶３２を収納空間３１１に固定する場合に便利である。即ち、該空気缶３２が回転することがなく、空気缶の正常な作動に影響を与えることがない。
【００３６】
また、該スリーブ３２１を楕円形に形成する場合、ピストン３２４も楕円形に形成する。
【００３７】
ユーザーが内枠２０を押し動かしてサッシを閉める場合、内枠２０が緩衝器３０の位置に移動すると、上横梁２０１の表面に設けられたフック２０３がピストン桿３２５の先端に設けられた係止板３２６に押し圧されて嵌合される。
【００３８】
同時に、該係止板３２６下端の突起３２８がスリーブ３２１内側の底面に設けられた桿体３１４に接続され、係止板３２６を下方に沈める。
【００３９】
即ち、該フック２０３が係止槽３２７内に接続するため、内枠２０が引き続き前方に移動すると、係止板３２６が共に前方に移動する。
【００４０】
該係止板３２６が前方に移動すると、ピストン桿３２５がバネ３２３に接続するピストン３２４を引き動かすため、内枠２０の速度が減速する。
【００４１】
該係止板３２６が内枠２０とともに、スリーブ３２１内側底面の一端に設けられた溝３１３に移動すると、係止板３２６が傾き、フック２０３が係止槽３２７から外れる。
【００４２】
該内枠２０は慣性に基づいて引き続き外枠１０の長手方向に垂直な方向へ移動して、サッシが閉じられ、該係止板３２６のバネ３２３の弾性回復力の作用でピストン３２４とピストン桿３２５が最初の位置に戻される。
【００４３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００４４】
【図１】この考案の引き形式のサッシを示した分解図
【図２】この考案の引き形式のサッシを示した斜視図
【図３】この考案の引き形式のサッシの外枠と緩衝器を示した説明図
【図４】この考案の引き形式のサッシの図２のＡの部分を示した拡大図
【図５】この考案の引き形式のサッシの緩衝器を示した分解図
【図６】この考案の引き形式のサッシの緩衝器を上方からみた状態を示した分解図
【図７】この考案の引き形式のサッシの緩衝器の空気缶を示した分解図
【符号の説明】
【００４５】
１０          外枠
１０１        上横梁
１０２        下横梁
１０３        左横梁
１０４        右横梁
１１          上方レール
１２          下方レール
１３          設置槽
２０          内枠
２０１        上横梁
２０２        下横梁
２０３        左横梁
２０４        右横梁、斜面
２０ 5        フック
２０ 6        斜面
２１          弾性ロック
２１１        凸部
２２          滑動輪
３０          緩衝器
３１          外カバー
３１１        収納空間
３１２        ピストン運動空間
３１３        溝
３１４        桿体
３２          空気缶
３２１        スリーブ
３２２        蓋体
３２３        バネ
３２４        ピストン
３２５        ピストン桿
３２６        係止板
３２７        係止槽
３２８        突起
３２９        密封体
３３          上蓋
３３１        後蓋
３３２        前蓋
６            ＰＣＢ板
７            接触端
８            はんだ接続端
【図１】
0003141552.tif 000003
【図２】
0003141552.tif 000004
【図３】
0003141552.tif 000005
【図４】
0003141552.tif 000006
【図５】
0003141552.tif 000007
【図６】
0003141552.tif 000008
【図７】
0003141552.tif 000009